(57)【要約】【課題】注ぎ入れた醤油等の液体が特定の箇所に集まって、キャラクター等の形状が突然出現する楽しめる食器を提供する。【解決手段】表面１１ａが液体１２の非撥水部１３と撥水部１４とからなり、注ぎ入れた液体が撥水部で撥水されて非撥水部に集合して、非撥水部において所定形状が出現するように構成された食器１１であって、撥水部は、所定形状が出現するように象った非撥水部を囲んで撥水加工が施されており、さらに、撥水部と非撥水部とは境界部１５が視認できないように一連に形成されている。【選択図】図１
0003195477.tif 000002
【実用新案登録請求の範囲】
【請求項１】
表面が液体の非撥水部と撥水部とからなり、注ぎ入れた液体が該撥水部で撥水されて前記非撥水部に集合して、当該非撥水部において所定形状が出現するように構成された食器であって、
前記撥水部は、前記所定形状が出現するように象った非撥水部を囲んで撥水加工が施されており、
さらに、前記撥水部と前記非撥水部とは境界部が視認できないように一連に形成されていること
を特徴とする食器。
【請求項２】
表面が液体の非撥水部と撥水部とからなり、注ぎ入れた液体が該撥水部で撥水されて前記非撥水部に集合して、前記撥水部において所定形状が出現するように構成された食器であって、
前記撥水部は、前記所定形状が出現するように象って撥水加工が施されており、
さらに、前記撥水部と前記非撥水部とは境界部が視認できないように一連に形成されていること
を特徴とする食器。
【請求項３】
前記非撥水部又は前記撥水部は、前記注ぎ入れた液体が、子供の食に対する興味をそそるようにキャラクター、マスコット、マーク、ペット、動物あるいは人形の形状が出現するように形成されていること
を特徴とする請求項１又は２のいずれかに記載の食器。
【請求項４】
前記非撥水部は、前記注ぎ入れる液体が所定量に保たれる広さであるように構成されていること
を特徴とする請求項１に記載の食器。
【請求項５】
前記非撥水部は、前記注ぎ入れた液体の流れが前記撥水部によって誘導されて、液体溜まりが形成される構成であること
を特徴とする請求項１に記載の食器。
【考案の詳細な説明】
【技術分野】
【０００１】
本考案は、表面に液体の非撥水部と撥水部とを有しており、注ぎ入れた醤油等の液体が非撥水部に集まって、キャラクター等の形状が突然出現する楽しめる食器に関するものである。
【背景技術】
【０００２】
従来、表面に撥水面を有する食器としては、特開２００８−２３７６９０号公報に開示された構成のつけ麺用吸水皿が知られている。このつけ麺用吸水皿は、皿の表面を、細線状の吸水面と細線状の撥水面とを交互に隣接させた模様で形成した構成である（特許文献１参照）。
【０００３】
このような構成のつけ麺用吸水皿は、皿の表面に細線状の吸水面が存在することによって、つけ麺から適度に水分を吸水して水切り効果を発揮し、また、細線状の撥水面が存在することによって、つけ麺が皿に付着することを防止して箸で挟み易くする効果を発揮する。
【先行技術文献】
【特許文献】
【０００４】
【特許文献１】特開２００８−２３７６９０号公報
【考案の概要】
【考案が解決しようとする課題】
【０００５】
この従来例のつけ麺用吸水皿においては、上述のように、細線状の吸水面と撥水面とが開示されており、その作用効果は、つけ麺の水切りと皿への付着を防止することだけである。
【０００６】
つまり、従来例はつけ麺用吸水皿としての用途や機能を有するものであって、それ以外の構成や作用効果は全く無く、想到することもできない。
【０００７】
そこで、従来例における場合においては、食器の表面に形成する非撥水部と撥水部との形状、位置関係あるいは大きさ等に工夫を凝らして、様々な機能性のある食器を考案して提供することに解決しなければならない課題を有している。
【課題を解決するための手段】
【０００８】
前記従来例の課題を解決するための本考案の要旨は、表面が液体の非撥水部と撥水部とからなり、注ぎ入れた液体が該撥水部で撥水されて前記非撥水部に集合して、当該非撥水部において所定形状が出現するように構成された食器であって、前記撥水部は、前記所定形状が出現するように象った非撥水部を囲んで撥水加工が施されており、さらに、前記撥水部と前記非撥水部とは境界部が視認できないように一連に形成されていることである。
【０００９】
また、本考案の要旨は、表面が液体の非撥水部と撥水部とからなり、注ぎ入れた液体が該撥水部で撥水されて前記非撥水部に集合して、前記撥水部において所定形状が出現するように構成された食器であって、前記撥水部は、前記所定形状が出現するように象って撥水加工が施されており、さらに、前記撥水部と前記非撥水部とは境界部が視認できないように一連に形成されていることである。
【００１０】
前記非撥水部又は前記撥水部は、前記注ぎ入れた液体が、子供の食に対する興味をそそるようにキャラクター、マスコット、マーク、ペット、動物あるいは人形の形状が出現するように形成されていること、；
前記非撥水部は、前記注ぎ入れる液体が所定量に保たれる広さであるように構成されていること、；
前記非撥水部は、前記注ぎ入れた液体の流れが前記撥水部によって誘導されて、液体溜まりが形成される構成であること、；
を含むものである。
【考案の効果】
【００１１】
本考案に係る食器によれば、醤油、ソースあるいはスープ等の液体を食器に注ぎ入れたときに、予想外のキャラクターやマスコット等の形状が食器の表面に突然出現するので、サプライズがあり、楽しく、話題性があって、また不思議でもあり、子供だけでなく大人にとっても楽しい食事の時間を過ごすことができるという優れた効果を奏する。
【００１２】
非撥水部又は撥水部は、注ぎ入れた液体が、子供の食に対する興味をそそるようにキャラクター、マスコット、マーク、ペット、動物あるいは人形の形状が出現するように形成されていることによって、食器に醤油等を差したときにキャラクターやマスコット等が予想外に出現するので、子供にとって不思議であり、楽しい時間を過ごすことができる。
更に、キャラクターやマスコット等の出現が子供の食に対する興味をそそって、食欲を増大させることができるという優れた効果を奏する。
【００１３】
非撥水部は、注ぎ入れる液体が所定量（適量）に保たれる広さであるように構成されていることによって、食器に醤油を差した場合に、所定量（適量）であれば所定のマーク等が出現するが、多量に差し過ぎた場合には醤油が非撥水部から溢れ出して、マークの形が崩れてしまうこととなる。
つまり、成人病予防のため減塩を意識している者にとっては、差した醤油が適量であるか否かを視覚的に認識できるので、醤油量の目安となり、その結果醤油の使い過ぎを防止することができるという優れた効果を奏する。
【００１４】
非撥水部は、注ぎ入れた液体の流れが撥水部によって誘導されて、液体溜まりが形成される構成であることによって、食器に醤油やソース等を注ぎ入れたときに、流れて欲しくない部分に行かないように誘導することとなり、所定の位置に醤油（ソース）溜まりを形成するという優れた効果を奏する。
【図面の簡単な説明】
【００１５】
【図１】（Ａ）本考案に係る食器１１の平面図である。（Ｂ）本考案に係る食器１１に醤油を差してキャラクターの形状１６が出現した平面図である。
【図２】（Ａ）本考案に係る食器１１の平面図である。（Ｂ）本考案に係る食器１１に醤油を差してハートマークの形状１７が出現した平面図である。
【図３】（Ａ）本考案に係る食器１１の平面図である。（Ｂ）本考案に係る食器１１に醤油を差してイルカの形状１８が出現した平面図である。
【図４】（Ａ）第２実施例に係る食器２１の平面図である。（Ｂ）第２実施例に係る食器２１に醤油を差して醤油溜まり２５を形成した平面図である。
【図５】（Ａ）第３実施例に係る食器３１の平面図である。（Ｂ）第３実施例に係る食器３１に醤油を差してハートマークの形状３７が出現した平面図である。
【考案を実施するための形態】
【００１６】
次に、本考案の実施の形態について図面を参照しながら説明する。まず、図１から図３において、符号１１は食器を示し、この食器１１は、表面１１ａが液体１２の非撥水部１３と撥水部１４とからなり、注ぎ入れた液体１２が撥水部１４で撥水されて非撥水部１３に集合して、当該非撥水部１３において所定形状が出現するように構成されている（図１（Ｂ）、図２（Ｂ）、図３（Ｂ）参照）。
【００１７】
食器１１は、陶製、ガラス製、あるいは金属製等の様々な材質の器である。要するに、食物や液体類を盛るための様々な材質または形状の容器である。
【００１８】
液体１２は、醤油、ソース、あるいはスープ等であり、食器１１に注ぎ入れる様々な種類の液状の調味料や食品類である。
【００１９】
撥水部１４は、所定形状が出現するように象った非撥水部１３を囲んで撥水加工の処理が施されている。さらに、撥水部１４と非撥水部１３とは境界部１５が視認できないように一連に形成されている。
【００２０】
撥水加工の方法は、プラズマ処理で行うことが望ましい。プラズマ処理は、食器１１の表面１１ａにフッ素系のガスを用いたプラズマを照射することで、フッ素コートを行って、撥水加工の処理を施す方法である。
【００２１】
この他に撥水加工の方法は、例えば釉薬を塗布する方法などがある。つまり、従来から知られている撥水素材を食器１１の表面１１ａに塗布する方法等、様々な撥水加工の処理方法を用いることができる。
【００２２】
非撥水部１３が象られる所定形状の一例を具体的に示すと、キャラクター又はマスコットの形状１６（図１（Ｂ）参照）、ハートマークの形状１７（図２（Ｂ）参照）、あるいはイルカの形状１８（図３（Ｂ）参照）等が上げられるが、これ以外にも様々な楽しい形状や話題性のある形状であることが好ましい。
【００２３】
このような食器１１によれば、醤油、ソースあるいはスープ等の液体１２を注ぎ入れたときに、予想外のキャラクターやマスコット１６等の形状が食器の表面１１ａに突然出現するので、サプライズがあり、楽しく、話題性があって、また不思議でもあり、子供だけでなく大人にとっても楽しい食事の時間を過ごすことができる。
【００２４】
特に、子供にとっては、キャラクターやマスコット１６等の出現が子供の食に対する興味をそそって、食欲を増大させることができる。
【００２５】
また、非撥水部１３は、注ぎ入れる液体１２が所定量（適量）に保たれる広さであるように構成してもよい。この場合は、食器１１に醤油を差したときに、適量であれば所定のマーク等が出現するが、多量に差し過ぎた場合には醤油が非撥水部１３から溢れ出して、マークの形が崩れてしまう。
つまり、成人病予防のため減塩を意識している者にとっては、差した醤油が適量であるか否かを視覚的に認識できるので、醤油量の目安となり、その結果醤油の使い過ぎを防止できるのである。
【００２６】
次に、食器の第２実施例について説明する。図４（Ａ）（Ｂ）に示す第２実施例の食器２１は、非撥水部２３には、注ぎ入れた液体２２の流れが撥水部２４によって誘導されて、表面２１ａに液体溜まり２５が形成されるように構成されている。
【００２７】
この場合は、食器２１に醤油やソース等を注ぎ入れたときに、流れて欲しくない部分に行かないように誘導することとなり、所定の位置に液体溜まり２５（醤油溜まり、ソース溜まり）を形成する。
【００２８】
次に、食器の第３実施例について説明する。図５（Ａ）（Ｂ）に示す第３実施例の食器３１は、表面３１ａが液体３２の非撥水部３３と撥水部３４とからなり、注ぎ入れた液体３２が撥水部３４で撥水されて非撥水部３３に集合して、撥水部３４において所定形状（ハートマークの形状３７）が出現するように構成されている（図５（Ｂ）参照）。
【００２９】
撥水部３４は、所定形状（ハートマークの形状３７）が出現するように象って撥水加工が施されている。さらに、撥水部３４と非撥水部３３とは境界部３５が視認できないように一連に形成されている。
【００３０】
このような食器３１によれば、醤油、ソースあるいはスープ等の液体３２を注ぎ入れたときに、予想外のハートマークの形状３７等が食器の表面３１ａの撥水部３４に突然出現する。
【００３１】
食器３１は、第１実施例の食器１１（図２（Ｂ）参照）とは、非撥水部と撥水部との位置関係が逆に形成されており、撥水部３４（ハートマークの形状３７）で液体３２を撥水して、その外側の非撥水部３３に液体３２が集合するのである。
【産業上の利用可能性】
【００３２】
本考案の食器１１、２１、３１は、食物や液体を盛るための容器として用いる場合を説明したが、それら以外にも、例えば、マジック、玩具、あるいはディスプレーのトリック用グッズとして用いてもよいことは勿論である。
【符号の説明】
【００３３】
１１  食器
１１ａ表面
１２  液体
１３  非撥水部
１４  撥水部
１５  境界部
１６  キャラクター又はマスコットの形状
１７  ハートマークの形状
１８  イルカの形状
２１  第２実施例の食器
２１ａ表面
２２  液体
２３  非撥水部
２４  撥水部
２５  液体溜まり（醤油溜まり、ソース溜まり）
３１  第３実施例の食器
３１ａ表面
３２  液体
３３  非撥水部
３４  撥水部
３５  境界部
３７  ハートマークの形状
【図１】
0003195477.tif 000003
【図２】
0003195477.tif 000004
【図３】
0003195477.tif 000005
【図４】
0003195477.tif 000006
【図５】
0003195477.tif 000007